【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含まないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項３】
「（ａ）或る電子生物が伝達主体となっており他の電子生物が伝達の相手方となっているメッセージ（この項においてメッセージとは、『或る電子生物から他の電子生物に伝達される、或る電子生物の思想、意思、または感情を含んでいる情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、または感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項４】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、自動的に又は「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項５】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含まないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項６】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項７】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、自動的に又は「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項８】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含めないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項９】
「（ａ）或る電子生物が伝達主体となっており他の電子生物が伝達の相手方となっているメッセージ（この項においてメッセージとは、『或る電子生物から他の電子生物に伝達される、或る電子生物の思想、意思、または感情を含んでいる情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、または感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項１０】
請求項１から９までのいずれかにおいて、
前記発信される「前記名前もしくは画像を示す情報及び／又は前記伝達情報を示す情報を乗せた若しくは一体化した電波もしくは赤外線」は、前記発信側の電子生物又はその電子生物を生存させる装置の識別データと対応付けられたものであり、
他の電子生物からの名前もしくは画像を示す情報と他の電子生物からの伝達情報を示す情報と他の電子生物の識別データとが前記電波等受信手段により受信されたことに対応して、「自ら（電子生物）の名前もしくは画像を示す情報と自ら（電子生物）を伝達主体とする伝達情報を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する前記識別データに対応する他の電子生物生存装置に直接に(インターネットなどの公衆通信網を介することなく)届くように、自動的に（「発信時におけるユーザーによる特別な操作」を介することなく）、近距離無線により発信する返信手段（前記発信手段と同一のハードウェア若しくはソフトウェアにより実現されるものであってもよい）、
を備えたことを特徴とする、内部に電子生物を生存させている携帯型電子生物生存装置。
【請求項１１】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項１２】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含まないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項１３】
「（ａ）或る電子生物が伝達主体となっており他の電子生物が伝達の相手方となっているメッセージ（この項においてメッセージとは、『或る電子生物から他の電子生物に伝達される、或る電子生物の思想、意思、または感情を含んでいる情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、または感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項１４】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、自動的に又は「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項１５】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含まないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項１６】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項１７】
自装置の内部の電子生物の名前もしくは画像と、「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する若しくは伝達しようとする『伝達情報』を、前記伝達情報等記録手段に記録されている伝達情報の複数の候補の中から、自動的に又は「ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、「前記他の電子生物の名前もしくは画像」及び「前記他の電子生物からの『伝達情報』」を、画面又は音声により出力する出力手段と、
を備えたことを特徴とする、ユーザーに携帯され若しくはユーザーの身体に装着されており、その内部に電子生物を生存させている携帯型電子生物生存装置。
【請求項１８】
自装置の内部の電子生物の名前もしくは画像を記録しておく画像等記録手段と、
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージ（電子生物から他の電子生物へ伝達される、電子生物の思想、感情、または意思を含む情報）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報（電子生物から他の電子生物へ伝達される、電子生物の思想、感情、または意思を含まない情報）と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（『伝達情報』を示す情報を前記名前もしくは画像を示す情報と一緒に乗せた若しくは一体化した「電波もしくは赤外線」、又は、『伝達情報』を示す情報を前記名前もしくは画像を示す情報は含めないように乗せた若しくは一体化した「電波もしくは赤外線」）を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波もしくは赤外線（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェア若しくはソフトウェアにより実現されるもの、又は、前記第１出力手段により兼ねられるもの、であってもよい）と、
を備えたことを特徴とする、ユーザーに携帯され若しくはユーザーの身体に装着されており、その内部に電子生物を生存させている携帯型電子生物生存装置。
【請求項１９】
「（ａ）或る電子生物が伝達主体となっており他の電子生物が伝達の相手方となっているメッセージ（この項においてメッセージとは、『或る電子生物から他の電子生物に伝達される、或る電子生物の思想、意思、または感情を含んでいる情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、または感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第１電波等発信手段と、
「自装置の内部の電子生物の名前もしくは画像を示す情報を乗せた若しくは一体化した、電波もしくは赤外線」（前記名前もしくは画像を示す情報を『伝達情報』を示す情報と一緒に乗せた若しくは一体化した「電波もしくは赤外線」、又は、前記名前もしくは画像を示す情報を『伝達情報』を示す情報は含まないように乗せた若しくは一体化した「電波もしくは赤外線」）を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する第２電波等発信手段（前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」又は「前記他の電子生物の名前もしくは画像」を、画面又は音声により出力する出力手段と、
を含むことを特徴とする、ユーザーに携帯され若しくはユーザーの身体に装着されており、その内部に電子生物を生存させている携帯型電子生物生存装置。
【請求項２０】
請求項１１から１９までのいずれかにおいて、
前記発信される「前記名前もしくは画像を示す情報及び／又は前記伝達情報を示す情報を乗せた若しくは一体化した電波もしくは赤外線」は、前記発信側の電子生物又はその電子生物を生存させる装置の識別データと対応付けられたものであり、
他の電子生物からの名前もしくは画像を示す情報と他の電子生物からの伝達情報を示す情報と他の電子生物の識別データとが前記電波等受信手段により受信されたことに対応して、「自ら（電子生物）の名前もしくは画像を示す情報と自ら（電子生物）を伝達主体とする伝達情報を示す情報とを乗せた若しくは一体化した、電波もしくは赤外線」（前記名前もしくは画像を示す情報と『伝達情報』を示す情報とを、一緒に、乗せた若しくは一体化した「電波もしくは赤外線」、又は、前記名前もしくは画像を示す情報と『伝達情報』を示す情報とを、別々に、乗せた若しくは一体化した各「電波もしくは赤外線」）を、近距離無線がカバーする範囲内の近傍に存在する前記識別データに対応する他の電子生物生存装置に直接に(インターネットなどの公衆通信網を介することなく)届くように、自動的に（「発信時におけるユーザーによる特別な操作」を介することなく）、近距離無線により発信する返信手段（前記発信手段と同一のハードウェア若しくはソフトウェアにより実現されるものであってもよい）、
を備えたことを特徴とする、内部に電子生物を生存させている携帯型電子生物生存装置。
【手続補正２】
【補正対象書類名】明細書
【補正対象項目名】００１０
【補正方法】変更
【補正の内容】
【００１０】
本発明はこのような従来技術の課題に着目してなされたものであって、「仮想ではない現実の世界」で実際に互いに近くに居る電子生物同士の間で情報伝達（コミュニケーション）が行なわれることを通じて（これが切っ掛けとなって）、「仮想ではない現実の世界」で実際に互いに近くに居るユーザー同士がコミュニケーションを開始したり促進させたりすることができる、携帯型電子生物生存装置を提供することを目的とする。
【手続補正３】
【補正対象書類名】明細書
【補正対象項目名】００１３
【補正方法】変更
【補正の内容】
【００１３】
本発明においては、「予め『電子生物が伝達の主体となっている伝達情報』の複数の候補を記録しておき、それらの中の一つ若しくは複数を選択し、その選択された伝達情報と電子生物の画像もしくは名前とを一緒に若しくは別々に乗せた若しくは一体化した電波もしくは赤外線を、自動的に、近距離無線により、近傍の他の電子生物に直接に（インターネットなどの公衆通信網を介することなく）届くように発信し、それを他方が直接に（インターネットなどの公衆通信網を介することなく）受信する」という構成を採用している。
このような構成により、本発明によれば、「『仮想ではない現実の世界において実際に（現実に）互いに近くに居る電子生物同士』が、あたかも、互いに自発的に（ユーザーの特別な操作を介することなく）情報を伝達してコミュニケーションを行なっているかのように見える状況」（少なくともユーザー側からはそのように見える状況）が、自動的に（ユーザーから見ると自然な形で）且つ手軽に、作出されるようになる。
したがって、本発明によれば、「仮想ではない現実の世界」で実際に互いに近くに居る電子生物同士の間で情報伝達（コミュニケーション）が行なわれることを通じて（これが切っ掛けとなって）、「仮想ではない現実の世界」で実際に互いに近くに居るユーザー同士がコミュニケーションを開始したり促進させたりすることができるようになる。
【手続補正４】
【補正対象書類名】明細書
【補正対象項目名】００１４
【補正方法】変更
【補正の内容】
【００１４】
また、特に本発明においては、「予め『電子生物が伝達の主体となっている伝達情報』の複数の候補を記録しておき、それらの中の一つ若しくは複数を、ユーザーの操作もしくは設定に基づいて選択し、その選択された伝達情報と電子生物の画像もしくは名前とを一緒に若しくは別々に乗せた若しくは一体化した電波もしくは赤外線を、自動的に、近距離無線により、近傍の他の電子生物に直接に届くように発信し、それを他方が直接に受信する」という構成を採用している。すなわち、本発明においては、『仮想ではない現実の世界において実際に（現実に）互いに近くに居る電子生物同士』が互いに自発的に（ユーザーの特別な操作を介することなく）情報を伝達する場合において、前記各電子生物の間で伝達される情報の中身（伝達情報）が、各ユーザーの操作もしくは設定により予め選択されるようにしている。
よって、本発明によれば、前記電子生物同士の間で行なわれる情報伝達（コミュニケーション）の内容をユーザーが予め或る程度コントロールできるようになるので、前記各電子生物同士の間のコミュニケーションが『切っ掛け・仲立ち』となって『仮想ではない現実の世界において実際に（現実に）互いに近くに居るユーザー同士』が互いのコミュニケーションを開始もくしは促進することが、より自然な形で行われるようになる。
【手続補正５】
【補正対象書類名】明細書
【補正対象項目名】００４１
【補正方法】変更
【補正の内容】
【００４１】
なお、本実施例では、電子生物生存装置として、「たまごっち」などのユーザーが趣味で電子ペットを育成するための携帯型電子ペット育成装置を示しているが、本発明はこれに限られるものではなく、例えば、電子生物生存装置の中に生存する「電子生物」は、ユーザーの「電子秘書」キャラクタなどでもよい。例えば、このユーザーの「電子秘書」キャラクタが、ユーザーと道路ですれ違う人が携帯する装置に対して、ユーザーに代わって、「友達になりましょう」「友達募集中です」などのメッセージを、他の電子生物とのやり取りを介して、送信するようにしてもよい。